(57)【要約】【課題】タービンのバイパスラインに設けられたバイパス制御弁の開度制御性を適切に保ちつつバイパス制御弁の開度制御を行う簡単な構成の発電プラントの運転制御方法および装置を提供すること。【解決手段】主管路から分岐した分岐管路に設けられると共に、開度可変のタービンノズルを有するタービンと、該タービンの入口側において分岐管路に設けられた入口遮断弁と、タービンおよび入口遮断弁をバイパスするバイパスラインに設けられたバイパス制御弁とを有する発電プラントの運転を制御するため、制御装置は、タービンノズルの開度を指示する開度計１６と、該開度計からの開度信号を受けてタービンの流量に変換する第１変換手段２２と、該第１変換手段２２から流量信号を受けてバイパス制御弁の開度指令信号に変換する第２変換手段２３とを有し、該開度指令信号に従ってバイパス制御弁の開度を制御する。【選択図】　　　図２
2004138025.tif 000002
【特許請求の範囲】
【請求項１】
主管路から分岐した分岐管路に設けられると共に、開度可変のタービンノズルを有するタービンと、該タービンの入口側において前記分岐管路に設けられた入口遮断弁と、前記タービンおよび前記入口遮断弁をバイパスするバイパスラインに設けられたバイパス制御弁とを有する発電プラントの運転制御装置であって、前記タービンノズルの開度を指示する開度指示手段と、該開度指示手段からの開度信号を受けて前記タービンの流量に変換する第１変換手段と、該第１変換手段から流量信号を受けて前記バイパス制御弁の開度指令信号に変換する第２変換手段とを有し、該開度指令信号に従って前記バイパス制御弁の開度を制御することを特徴とする発電プラントの運転制御装置。
【請求項２】
前記タービンの通常停止／緊急停止時の前記タービンノズルの開度を保持する第１保持器と、前記タービンの負荷遮断時の前記タービンノズルの開度を保持する第２保持器と、該第１保持器および第２保持器に選択的に切り換えられて前記タービンノズルの開度を前記第１変換手段に送る切換手段とを更に含むと共に、前記タービンの負荷遮断時の前記タービンノズルの開度は、前記タービンを定格回転数とするのに必要な無負荷定格速度開度を差し引いて前記第１変換手段に送られることを特徴とする請求項１に記載の運転制御装置。
【請求項３】
前記バイパスラインはバイパス遮断弁を更に含み、前記タービンの通常運転中、前記バイパス遮断弁が閉となっている間も、前記バイパス制御弁は、前記開度指令信号に従ってその開度を制御されていることを特徴とする請求項２に記載の運転制御装置。
【請求項４】
主管路から分岐する分岐管路に設けられると共に、開度可変のタービンノズルを有するタービンと、該タービンの入口側において前記分岐管路に設けられた入口遮断弁と、前記タービンおよび前記入口遮断弁をバイパスするバイパスラインに設けられたバイパス制御弁とを有する発電プラントの運転を制御するために、
前記タービンノズルの開度を指示するノズル開度計を用意し、
前記タービンの通常停止／緊急停止時の前記タービンノズルの開度を保持する第１保持器を用意し、
前記タービンの負荷遮断時の前記タービンノズルの開度を保持する第２保持器を用意し、
前記ノズル開度計からの開度信号を切換器を介して選択的に受けて前記タービンの流量に変換する第１変換器を用意し、
該第１変換器から流量信号を受けて前記バイパス制御弁の開度指令信号に変換する第２変換器を用意し、
前記バイパスラインにバイパス遮断弁を用意し、
前記タービンの通常停止／緊急停止時の前記タービンノズルの開度と、前記タービンの負荷遮断時の前記タービンノズルの開度とを前記切換器により切り換えて前記第１変換器に送り、その際、前記タービンの負荷遮断時の前記タービンノズルの開度は、前記タービンを定格回転数とするのに必要な無負荷定格速度開度を差し引いて前記第１変換器に送り、
前記タービンの通常停止／緊急停止時および負荷遮断時、前記開度指令信号に従って前記バイパス制御弁の開度を制御し、
前記タービンの通常運転中、前記バイパス遮断弁が閉となっている間も、前記バイパス制御弁は、前記開度指令信号に従ってその開度を制御されている、
ことを特徴とする発電プラントの運転制御方法。
【発明の詳細な説明】
【０００１】
【発明の属する技術分野】
本発明は、膨張タービンを含む例えば自家発電プラントのようなプラントの運転制御に関し、特に、かかるプラントにおいて膨張タービンのバイパスラインに設けられているバイパス制御弁の開度を制御する方法および装置に関するものである。
【０００２】
【従来の技術】
図３は、このようにバイパスラインに設けられたバイパス制御弁を慣行的に手動により制御する場合の自家発電プラントの要部を部分的に系統図で示している。図３の発電プラントにおいて、ガスの主管路もしくは幹線１から分岐した分岐管路２には、入口遮断弁３を介して膨張タービン４が接続されると共に、該膨張タービン４の出口側に出口遮断弁９が接続されている。該膨張タービン４の出力軸に接続されているのは発電機５である。主管路１の作動流体である例えばガスは、機械式ガバナ６、流量計７等を介して下流の需要家に供給されるようになっている。また、分岐管路２には、入口遮断弁３、膨張タービン４および出口遮断弁９をバイパスするようにバイパスライン８が接続されており、このバイパスライン８にバイパス制御弁１０が設けられている。なお、符号１１は、主管路１および分岐管路２に設けられた加熱器（都市ガスヒータ）を表している。
【０００３】
このような発電プラントにおいて、膨張タービン４の停止中は、主管路１のガスは機械式ガバナ６で圧力制御され需要家に送られるが、流量計７で測定される流量は、需要量の消費次第で決まる成り行きとなっている。なお、膨張タービン４の停止中、タービン側の入口遮断弁３、出口遮断弁９、バイパス制御弁１０はいずれも閉弁している。そして、主管路１のガス流量を流量計７の信号により膨張タービン４のノズル４ａを操作して、成り行きにより発電を行っていた。
【０００４】
また、この膨張タービン４が重故障となりインターロックによる緊急停止が掛かったトリップ時や、通常停止時の場合には、入口遮断弁３を閉弁すると同時にバイパス制御弁１０を全開させて、ガスを主管路１に送る操作を行っていた。しかし、この場合、主管路１における流量計７の流量によっては、機械式ガバナ６は全閉域近傍となるため、ガバナを急速に開状態として制御へ移行することができず、主管路１側に急激な圧力変動を与えることがあった。
【０００５】
このように、手動によるバイパス制御弁の開閉操作では、トリップ時のようなある特定の場合に主管路におけるガス圧力の突変を避けることが難しいため、特別に設計された制御装置を用いてバイパス制御弁の開閉制御を自動的に行うことが提案されている（例えば、特許文献１参照。）。
【０００６】
【特許文献１】
特開平２−２７５０２２号公報（２頁下段左欄１４行〜右欄１５行、３頁下段右欄６行〜４頁上段左欄１７行、４頁下段右欄７行〜５頁上段右欄４行、第１図および第２図。）。
【０００７】
この特許文献１に記載の発明は、膨張タービンのトリップ時にも、下流側にガス流量を安定して供給できるようにするため、バイパス制御弁の能力を表す係数値を計算回路で計算し、その後、この係数値から、別の計算回路により予め定められたグラフに従ってバイパス制御弁の開度を決めるようになっている。
【０００８】
【発明が解決しようとする課題】
特許文献１に記載の発明は、ガス流量を安定して供給することはできるが、ガス流量，圧力，温度，比重等の種々の関数から係数値を求めるための計算回路と、グラフを定めるための別の計算回路とが必要であるため、バイパス制御弁の開度精度が良い反面、制御回路が必然的に複雑となり、特に、必要以上の高精度が不要である発電プラントにおいては、装置の費用対効果が劣化するのを避けられない。
【０００９】
従って、本発明の目的は、タービンのバイパスラインに設けられたバイパス制御弁の開度制御性を適切に保ちつつバイパス制御弁の開度制御を行う簡単な構成の発電プラントの運転制御方法および装置を提供することである。
【００１０】
【課題を解決するための手段】
この目的を達成するため、請求項１に記載の本発明は、主管路から分岐した分岐管路に設けられると共に、開度可変のタービンノズルを有するタービンと、該タービンの入口側において前記分岐管路に設けられた入口遮断弁と、前記タービンおよび前記入口遮断弁をバイパスするバイパスラインに設けられたバイパス制御弁とを有する発電プラントの運転制御装置において、前記タービンノズルの開度を指示する開度指示手段と、該開度指示手段からの開度信号を受けて前記タービンの流量に変換する第１変換手段と、該第１変換手段から流量信号を受けて前記バイパス制御弁の開度指令信号に変換する第２変換手段とを有し、該開度指令信号に従って前記バイパス制御弁の開度を制御することを特徴としている。
【００１１】
また、請求項２に記載のように、この運転制御装置は、前記タービンの通常停止／緊急停止時の前記タービンノズルの開度を保持する第１保持器と、前記タービンの負荷遮断時の前記タービンノズルの開度を保持する第２保持器と、該第１保持器および第２保持器に選択的に切り換えられて前記タービンノズルの開度を前記第１変換手段に送る切換手段とを更に含むと共に、前記タービンの負荷遮断時の前記タービンノズルの開度は、前記タービンを定格回転数とするのに必要な無負荷定格速度開度を差し引いて前記第１変換手段に送られることが好ましい。
【００１２】
この場合、請求項３に記載のように、前記バイパスラインはバイパス遮断弁を更に含み、前記タービンの通常運転中、前記バイパス遮断弁が閉となっている間も、前記バイパス制御弁は、前記開度指令信号に従ってその開度を制御されていることが好ましい。
【００１３】
更に、上述の目的を達成するため、請求項４に記載の本発明による発電プラントの運転制御方法は、主管路から分岐する分岐管路に設けられると共に、開度可変のタービンノズルを有するタービンと、該タービンの入口側において前記分岐管路に設けられた入口遮断弁と、前記タービンおよび前記入口遮断弁をバイパスするバイパスラインに設けられたバイパス制御弁とを有する発電プラントの運転を制御するために、前記タービンノズルの開度を指示するノズル開度計を用意し、前記タービンの通常停止／緊急停止時の前記タービンノズルの開度を保持する第１保持器を用意し、前記タービンの負荷遮断時の前記タービンノズルの開度を保持する第２保持器を用意し、前記ノズル開度計からの開度信号を切換器を介して選択的に受けて前記タービンの流量に変換する第１変換器を用意し、該第１変換器から流量信号を受けて前記バイパス制御弁の開度指令信号に変換する第２変換器を用意し、前記バイパスラインにバイパス遮断弁を用意し、前記タービンの通常停止／緊急停止時の前記タービンノズルの開度と、前記タービンの負荷遮断時の前記タービンノズルの開度とを前記切換器により切り換えて前記第１変換器に送り、その際、前記タービンの負荷遮断時の前記タービンノズルの開度は、前記タービンを定格回転数とするのに必要な無負荷定格速度開度を差し引いて前記第１変換器に送り、前記タービンの通常停止／緊急停止時および負荷遮断時、前記開度指令信号に従って前記バイパス制御弁の開度を制御し、前記タービンの通常運転中、前記バイパス遮断弁が閉となっている間も、前記バイパス制御弁は、前記開度指令信号に従ってその開度を制御されている、ことを特徴としている。
【００１４】
【発明の実施の形態】
次に、添付図面を参照して、本発明の好適な実施の形態について詳細に説明するが、図中、同一符号は同一又は対応部分を示すものとする。また、本発明は、以下の説明から分かるように、この実施形態に限定されるものではなく、種々の改変が可能である。
【００１５】
図１は、本発明の実施例による自家発電プラントの要部を部分的に示す系統図である。図１の発電プラントにおいて、図３の慣行例と同様に、ガスの幹線もしくは主管路１から分岐した分岐管路２には、入口遮断弁３を介して膨張タービン４が接続されると共に、該膨張タービン４の出口側に出口遮断弁９および出口電動遮断弁１２が接続されている。膨張タービン４の出力軸は図示のように発電機５に接続されている。また、上述した入口遮断弁３、膨張タービン４、出口遮断弁９および出口電動遮断弁１２をバイパスするバイパスライン８には、バイパス制御弁１０に加えてバイパス遮断弁１３が設けられている。好適な実施例においては、機械式ガバナ６と膨張タービン４の開閉可変のタービンノズル４ａとにそれぞれ開度計１５，１６が付設されている。
【００１６】
このような発電プラントにおいて、主管路１を流れるガスは、通常運転中、機械式ガバナ６、流量計７等を介して需要家に供給されるようになっている。そして、膨張タービン４の停止中、主管路１のガスは機械式ガバナ６で圧力制御され需要家に送られるが、流量計７で測定される流量は、需要量による成り行きとなっている。膨張タービン４の停止中、タービン側の入口遮断弁３、出口遮断弁９、出口電動遮断弁１２、バイパス遮断弁１３およびバイパス制御弁１０はいずれも全閉している。
【００１７】
膨張タービン４の運転中は、入口遮断弁３、出口遮断弁９および出口電動遮断弁１２が開弁し、タービンノズル４ａは、機械式ガバナ６の開度を周知の開度計１５から取り込み、ノズル開度が規定値以上（機械式ガバナ６の圧力制御可能範囲以上）となるように制御され、成り行き発電をする。
【００１８】
また、タービン運転中、バイパス遮断弁１３は閉じているが、本発明の実施例においては、バイパス制御弁１０は、タービン停止時や負荷遮断時に主管路側に急激な圧力変動を与えないように、タービンノズル４ａの開度計１６からのタービンノズル開度を流量信号に変換し、バイパス遮断弁１３が開いた場合にその流量信号に応じた流量をバイパスライン８に流すことができるように、バイパス制御弁開度を求め、常にバイパス制御弁１０を制御して開けておくようになっている。
【００１９】
タービンが重故障となり、（Ａ）オペレータによる膨張タービン４の停止操作による通常停止時の場合や、（Ｂ）膨張タービン保護および発電プラント全体の保護用の監視機器（図示せず）からの自動停止動作が働くインターロックによる緊急停止が掛かった場合には、入口遮断弁３を閉弁すると同時にバイパス遮断弁１３を開け、タービン入口流量を全てバイパスさせることにより、主管路のガス圧力の突変を防ぐ。また、（Ｃ）発電機側のオペレータによる発電機遮断器（図示せず）の開操作による負荷遮断時には、発電機５のみ切り離すが、膨張タービン４は定格回転にて制御させるために、入口遮断弁３は開状態のままとし、バイパス遮断弁１３も開弁する。なお、膨張タービン４に緊急停止がかかるケース（Ｂ）には、例えば、軸受部異常や、潤滑油圧力低下等がある。
【００２０】
次に、図１および図２を参照して、本発明によるバイパス制御弁１０の制御回路について説明する。先ず、前述したようなケース（Ａ）および（Ｂ）の通常停止や緊急停止の場合には、バイパス制御弁１０を開くと同時に入口遮断弁３を閉として、停止直前までタービンに流れていたガス全量をバイパスさせる。このため、制御回路は、開度計１６に連絡したアナログメモリ（ＡＭ）である信号保持器２０を含み、該信号保持器２０がケース（Ａ），（Ｂ）のＯＲ信号に基づいて接点入力がオフになるとタービン通常停止／緊急停止の直前におけるタービンノズル４ａの開度をアナログ値で保持する。アナログ入力信号であるこの開度信号は、アナログ変換スイッチ（Ｔ）から構成される信号切換器（切換手段）２１を介して開度／流量変換器（第１変換手段）２２に出力され、そこで流量信号に変換される。
【００２１】
周知の技術であるため図示しないが、タービンノズル開度と流量の関係は、タービンノズルの静特性データを計測した結果によって一義的に決めることができるので、計測結果を打ち込んで予め定められたグラフを作成し、保存しておけば、このグラフを参照することによって、入力信号に対して折線関数（ＦＸ）演算をしてタービンノズル開度から容易に流量に変換することができる。更に、開度／流量変換器２２は流量／ＭＶ変換器（第２変換手段）２３に接続されており、そこで流量信号からバイパス制御弁開度（ＭＶ）を求めて、この開度となるようにバイパス制御弁１０を制御する。この場合も、バイパス制御弁１０の静特性データを計測した結果によって一義的に決めることができるので、計測結果を打ち込んで予め定められたグラフを作成し、保存しておけば、このグラフを参照することによって、入力信号に対して折線関数（ＦＸ）演算をして、上述の流量信号をバイパス制御弁の開度（ＭＶ）に容易に変換することができる。なお、静特性データとは、タービンノズルやバイパス制御弁に実際に流体を流し、制御弁を一定開度刻みで開けていった時の流量特性データを示している。
【００２２】
タービンノズル開度は、通常停止時およびタービン重故障時（緊急停止時）と、負荷遮断時とで異なるため、上述した信号保持器２０とは別に、負荷遮断時の直前におけるタービンノズル４ａの開度を保持するための信号保持器２６が設けられている。上述した信号切換器２１は、タービン通常停止／緊急停止か、或いは負荷遮断かに応じてどちらかの信号を保持するように切り換わり、主管路１に圧力変動の影響を与えないようにすることができる。即ち、図２において、信号切換器２１は、点線で示す負荷遮断入力時にそのポートＢ，Ｃが接続されて、開度／流量変換器２２に負荷遮断時のタービンノズル開度信号を送り、点線で示す負荷遮断未入力時にそのポートＡ，Ｃが接続されて、開度／流量変換器２２にタービン通常停止／緊急停止時のタービンノズル開度信号を出力する。
【００２３】
負荷遮断時には、タービン４が発電機５から切り離されて回転しており、タービン４を停止させないため、バイパス遮断弁１３を開いても、タービン入口遮断弁３は閉弁させない。また、再度発電機を併入できる規定回転数に見合ったタービンノズル開度に設定するために、パラメータで設定された固定のアナログ信号を出力する信号発生器（ＳＧ）２７は、タービン無負荷定格開度分のアナログ信号を減算器２８のポートＢに入力して、負荷遮断直前のタービンノズル開度を保持した信号保持器２６から減算器２８のポートＡに入力された同タービンノズル開度信号から、上述のタービン無負荷定格開度分信号を減算器２８にて減算させ、その出力を減算器２８から信号切換器２１に送り、主管路のガス流量変動のないようにバイパス制御弁の開度を決定する。
【００２４】
流量／ＭＶ変換器２３の出力側に接続されて簡略化して示されているのは自動／手動切換回路２４である。これが自動に設定されていれば、前述したような演算結果に基づいてバイパス制御弁１０の開閉が信号変換器（Ｉ／Ｐ）２５を介して行われる。しかし、プラントで何らかのトラブルが発生した時や、調整時等にオペレータによるバイパス制御弁１０の手動操作が必要な場合があり、その際に手動に切り換えられる。信号変換器２５は、手動切換回路２４の後の調節信号を受けて空気圧信号に変換し、バイパス制御弁１０に付設されたバルブポジショナ（Ｐ／Ｐ）２９に出力する。バルブポジショナ２９は、空気圧信号を受けると、空気圧作動式であるバイパス制御弁１０を駆動するだけでなく、バイパス制御弁１０の弁開度を検出信号しフィードバックする機能を有している。なお、バイパス制御弁１０を駆動するために、空気源は弁３０を介してバイパス制御弁１０に供給される。
【００２５】
以上のように構成されているため、タービン運転時は、ケース（Ａ）および（Ｂ）がＮＯＴ信号であるから、信号保持器２０の信号が信号切換器２１のポートＡ，Ｃが接続されていて、バイパス制御弁１０は、常にタービンノズル開度計１６からのノズル開度信号に見合ったガス流量を流すように制御される。また、タービン運転中も、負荷遮断信号が入力された時に備えて、減算器２８において、「タービンノズル開度−タービン無負荷定格速度開度」の演算も常に行われて、演算結果は信号切換器２１のポートＢに入力されている。
【００２６】
その後、タービンの通常停止／緊急停止信号又は負荷遮断信号の入力時には次のように処理される。
【００２７】
通常停止／緊急停止時
通常停止／緊急停止の信号がアナログメモリ（ＡＭ）である信号保持器２０に入力されると、その時のタービンノズル開度が信号保持器２０に保持されることにより、バイパス制御弁１０の開度が保持される。また、これと同時に、入口遮断弁３が閉、バイパス遮断弁１３が開となり、バイパス制御弁１０に全量を流すことによってタービン側の総流量が変動しなくなるため、主管路側にも流量変動がなくなる。
【００２８】
負荷遮断時
負荷遮断の信号がアナログメモリ（ＡＭ）である信号保持器２６に入力されると、その時のタービンノズル開度が信号保持器２６に保持されるが、信号切換器２１のポートＢに入力される信号は、タービンノズル信号から「タービン無負荷定格速度開度」分を差し引いた値である。同時に信号切換器２１がポートＢ−Ｃの接続に切り換わり、バイパス制御弁１０の開度は「タービン無負荷定格速度開度」分だけ絞られる。また、これと同時に、バイパス遮断弁１３が開となり、タービンノズルおよびバイパス制御弁の双方にガスを流すことにより、タービン側の総流量が変動しなくなるため、主管路側にも変動が表れないようになる。
【００２９】
【発明の効果】
以上のように、請求項１に記載の本発明は、発電プラントの運転制御装置であって、タービンノズルの開度を指示する開度指示手段と、該開度指示手段からの開度信号を受けてタービンの流量に変換する第１変換手段と、該第１変換手段から流量信号を受けてバイパス制御弁の開度指令信号に変換する第２変換手段とを有し、該開度指令信号に従ってバイパス制御弁の開度を制御するように構成されているので、このように制御するための検出要素としてはタービンノズルの開度を検出する開度指示手段（開度計）だけでよく、従来のように流量、圧力および温度等の全てを検出することが不要となるので、構成が簡素化される。特に、高い検出精度が要求されない系統や、作動流体の圧力および温度がほぼ一定の系統である場合には、バイパス制御弁の開度制御性を適切に保ちつつ構成を簡素化できるので、有効に適用可能である。
【００３０】
また、請求項２に記載の本発明のように、発電プラントの運転制御装置は、前記タービンの通常停止／緊急停止時の前記タービンノズルの開度を保持する第１保持器と、前記タービンの負荷遮断時の前記タービンノズルの開度を保持する第２保持器と、該第１保持器および第２保持器に選択的に切り換えられて前記タービンノズルの開度を前記第１変換手段に送る切換手段とを更に含んでおり、前記タービンの負荷遮断時の前記タービンノズルの開度は、前記タービンを定格回転数とするのに必要な無負荷定格速度開度を差し引いて前記第１変換手段に送られるので、通常停止／緊急停止の信号が第１保持器に入力されると、その時のタービンノズル開度が第１保持器に保持されることにより、バイパス制御弁の開度が保持され、また、負荷遮断の信号が第２保持器に入力されると、その時のタービンノズル開度が第２保持器により保持され、切換手段に入力される信号も「タービン無負荷定格速度開度」差し引かれた値にて保持され、タービン側の総流量が変動しないようにしうるため、主管路側に圧力変動等を与えることがない。
【００３１】
また、請求項３に記載の本発明のように、前記バイパスラインはバイパス遮断弁を更に含み、前記タービンの通常運転中、前記バイパス遮断弁が閉となっている間も、前記バイパス制御弁は、前記開度指令信号に従ってその開度を制御されているようにすると、タービン停止時や負荷遮断時に主管路側に急激な圧力変動を与えることがないので有利である。
【００３２】
更に、請求項４に記載された本発明のように、主管路から分岐する分岐管路に設けられると共に、開度可変のタービンノズルを有するタービンと、該タービンの入口側において前記分岐管路に設けられた入口遮断弁と、前記タービンおよび前記入口遮断弁をバイパスするバイパスラインに設けられたバイパス制御弁とを有する発電プラントの運転を制御するために、前記タービンノズルの開度を指示するノズル開度計を用意し、前記タービンの通常停止／緊急停止時の前記タービンノズルの開度を保持する第１保持器を用意し、前記タービンの負荷遮断時の前記タービンノズルの開度を保持する第２保持器を用意し、前記ノズル開度計からの開度信号を切換器を介して選択的に受けて前記タービンの流量に変換する第１変換器を用意し、該第１変換器から流量信号を受けて前記バイパス制御弁の開度指令信号に変換する第２変換器を用意し、前記バイパスラインにバイパス遮断弁を用意し、前記タービンの通常停止／緊急停止時の前記タービンノズルの開度と、前記タービンの負荷遮断時の前記タービンノズルの開度とを前記切換器により切り換えて前記第１変換器に送り、その際、前記タービンの負荷遮断時の前記タービンノズルの開度は、前記タービンを定格回転数とするのに必要な無負荷定格速度開度を差し引いて前記第１変換器に送り、前記タービンの通常停止／緊急停止時および負荷遮断時、前記開度指令信号に従って前記バイパス制御弁の開度を制御し、前記タービンの通常運転中、前記バイパス遮断弁が閉となっている間も、前記バイパス制御弁は、前記開度指令信号に従ってその開度を制御されていれば、上述した実質的に全ての効果を奏することができる。
【図面の簡単な説明】
【図１】本発明の好適な実施例に従った発電プラントにおけるバイパス制御弁の設置例を示す部分系統図である。
【図２】図１に示すように設置されたバイパス制御弁の開度を制御するための制御回路図である。
【図３】従来の発電プラントにおけるバイパス制御弁の設置例を概略的に示す部分系統図である。
【符号の説明】
１　　主管路
２　　分岐管路
３　　入口遮断弁
４　　膨張タービン（タービン）
４ａ　タービンノズル
８　　バイパスライン
１０　　バイパス制御弁
１３　　バイパス遮断弁
１６　　開度計（開度指示手段）
２０　　信号保持器（第１保持器）
２１　　信号切換器（切換手段）
２２　　開度／流量変換器（第１変換手段）
２３　　流量／ＭＶ変換器（第２変換手段）
２６　　信号保持器（第２保持器）
【図１】
2004138025.tif 000003
【図２】
2004138025.tif 000004
【図３】
2004138025.tif 000005